(57)【要約】【課題】本発明の目的は、全体系統図によるプラント状態の把握を容易に行え、プラントの監視性を向上させることができるプラントの遠隔監視制御装置を提供することにある。【解決手段】クライアント７の系統図表示処理部２２７はプラント２の全体系統図をメッシュ状に分割し、各メッシュ領域毎に含まれるプラント機器の設定した１台のプラント機器のシンボルを代表として集約表示する。また、１つのメッシュ領域に含まれるプラント機器状態が要注意レベルになると当該プラント機器の機器シンボルを拡大表示する。【選択図】  図２
2004151997.tif 000002
【特許請求の範囲】
【請求項１】
プラントを監視制御するサーバと、前記サーバにネットワークを介して接続され前記プラントの監視制御を行うクライアント端末とを備え、
前記クライアント端末は、前記プラントの全体系統図をメッシュ状に分割し、各メッシュ領域毎に含まれるプラント機器の設定した１台のプラント機器のシンボルを集約表示し、１つのメッシュ領域に含まれるプラント機器状態が要注意レベルになると当該プラント機器の機器シンボルを拡大表示することを特徴とするプラント監視制御装置。
【請求項２】
プラントを監視制御するサーバと、前記サーバにネットワークを介して接続され前記プラントの監視制御を行うクライアント端末と、前記プラントの系統図を作成して系統図情報を前記サーバに配布する系統図作成手段とを備え、
前記クライアント端末は、前記サーバから前記系統図情報を取込み、前記プラントの全体系統図をメッシュ状に分割した各メッシュ領域毎に含まれるプラント機器の設定した１台のプラント機器のシンボルを代表として集約表示し、１つのメッシュ領域に含まれるプラント機器状態が要注意レベルになると当該プラント機器の機器シンボルを拡大表示することを特徴とするプラント監視制御装置。
【請求項３】
プラントを監視制御するサーバと、前記サーバにネットワークを介して接続され前記プラントの監視制御を行うクライアント端末とを備え、
前記クライアント端末は、前記サーバから前記プラントの系統図情報を取込む系統図情報取得手段と、前記サーバから前記プラントのプラントデータを入力してプラント機器の状態を判定する機器状態設定処理手段と、前記系統図情報と要注意レベルにあるプラント機器情報を入力してプラント全体系統図を表示する系統図表示処理手段とを具備し、前記プラントの全体系統図をメッシュ状に分割した各メッシュ領域毎に配置されているプラント機器の設定した１台のプラント機器のシンボルを集約表示し、１つのメッシュ領域に含まれるプラント機器状態が要注意レベルになると当該プラント機器の機器シンボルを拡大表示することを特徴とするプラント監視制御装置。
【請求項４】
プラントを監視制御するサーバと、前記サーバにネットワークを介して接続され前記プラントの監視制御を行うクライアント端末とを備え、
前記クライアント端末は、前記サーバから前記プラントの系統図情報を取込む系統図情報取得手段と、前記プラントを構成する各プラント機器が要注意レベルであると判定する基準値を各プラント機器毎に設定する状態レベル定義手段と、前記サーバから前記プラントのプラントデータを入力して前記基準値と比較してプラント機器の状態を判定する機器状態設定処理手段と、前記系統図情報と要注意レベルにあるプラント機器情報を入力してプラント全体系統図を表示する系統図表示処理手段とを具備し、前記プラントの全体系統図をメッシュ状に分割した各メッシュ領域毎に配置されているプラント機器の設定した１台のプラント機器のシンボルを集約表示し、１つのメッシュ領域に配置されているプラント機器状態が要注意レベルになると当該プラント機器の機器シンボルを拡大表示することを特徴とするプラント監視制御装置。
【請求項５】
請求項１〜４にいずれか１項において、前記全体系統図の集約表示されるプラント機器は、１つのメッシュ領域に配置されている数が最大のプラント機器であることを特徴とするプラント監視制御装置。
【発明の詳細な説明】
【０００１】
【発明の属する技術分野】
本発明は、プラントの監視制御を行うサーバと通信ネットワークを介して接続されたクライアント端末によって遠隔からプラントの監視制御を行うプラント監視制御装置に関する。
【０００２】
【従来の技術】
【特許文献１】特開平６−２９０３７９号公報
プラントの監視制御は、プラントを構成するプラント機器のコントローラとホストコンピュータとをプロセスＬＡＮで接続し、リアルタイムで機器の監視制御を行うようにしている。近年、インターネットなどの通信ネットワークの普及、ブロードバンド化により、広域コンピュータ・ネットワークを利用し、管理本館や出張先などの遠隔から広範囲に分散されているプラントを統括監視制御する広域監視制御システムが多く採用されている。
【０００３】
広域監視制御システムにおいては、監視、操作を行うための業務アプリケーション（以下、アプリケーションという）はＰＣ（パーソナルコンピュータ）やインターネット機能を有する情報機器などのサーバ（以下、サーバという）にあり、当該アプリケーションをＰＣやＮＣ（ネットワークコンピュータ）などの情報機器などのクライアント端末（以下、クライアントともいう）にダウンロードし、各クライアントにて実行する。
【０００４】
この業務アプリケーションは、プラント系統図に代表されるように、プラントを構成する各プラント機器の運転状態の監視、設定値の変更、機器の起動、停止などの操作をクライアントのキーボードやマウスなどの入力装置で行うことができる。プラント系統図は、サーバから送信されるプラントデータに基づきプラント機器の状態を表示する機器シンボル（以下、単にシンボルともいう）の可変画面と変化することのない背景画面（固定画面）とから構成される。
【０００５】
従来、プラントの監視制御を行う際にプラント系統図は、概略系統図から詳細系統図へと段階的に詳細化する方式（以下、段階表示方式という）が用いられる。段階表示方式では、最初に全体系統図を表示して概況を把握した後、この全体図の各シンボルをクリックすることにより、その都度、詳細情報を表示して閲覧することができる。プラント系統図の段階表示方式については、例えば、上述の特許文献１に記載されている。
【０００６】
【発明が解決しようとする課題】
広域監視制御システムにおいては、プラントが無人化される傾向にある。このため、クライアントは全体系統図でプラントの監視を行い、プラント機器が異常になると全体系統図での位置付けを確認した上で詳細系統図で異常の詳細を確認することが要求される。全体系統図は表示装置の一画面に表示することが望まれる。
【０００７】
しかし、無人運転される小規模プラントでも機器数が増加する傾向にあり、全プラント機器のシンボルを表示すると機器シンボルが極めて小さくなり全体系統図によるプラント系統の把握が困難になるという問題点を有する。また、機器シンボルが小さいと異常発生によりシンボルを強調表示しても視認性が悪くプラントの監視性が低下するという問題点もある。
【０００８】
本発明の目的は、全体系統図によるプラント状態の把握を容易に行え、プラントの監視性を向上させることができるプラントの遠隔監視制御装置を提供することにある。
【０００９】
【課題を解決するための手段】
本発明の特徴とするところは、プラント全体系統図をメッシュ状に分割し、各メッシュ領域毎に含まれるプラント機器の設定した１台のプラント機器のシンボルを代表として集約表示し、１つのメッシュ領域に含まれるプラント機器状態が要注意レベルになると当該プラント機器の機器シンボルを拡大表示するようにしたことにある。
【００１０】
本発明は各メッシュ領域毎に１台のプラント機器のシンボルを集約表示し、１つのメッシュ領域に含まれるプラント機器状態が要注意レベルになると当該プラント機器の機器シンボルを拡大表示しているので、全体系統図によるプラント状態の把握を容易に行え、要注意レベルになったプラント機器の監視性を向上させることができる。
【００１１】
【発明の実施の形態】
以下、本発明の実施例について、図面を用いて説明する。
図１に本発明の一実施例を示す。なお、広域監視制御システムは、通常、複数のプラントとその情報を管理する複数のサーバ、複数のクライアント、複数の系統図作成端末から構成されているが、図示を簡単化するために、プラント、サーバ、クライアント端末、系統図作成端末を一台だけ示している。
【００１２】
図１において、プラント２は制御用ＬＡＮ１を介してサーバ３に接続されている。サーバ３は制御用ＬＡＮ１を介してプラント２を監視制御する。
サーバ３はルータ４１を介して、例えばＩＳＤＮ回線やＡＴＭ回線などの広域ネットワーク５に接続されている。
【００１３】
広域ネットワーク５には情報ＬＡＮ６１がルータ４２を介して接続されている。プラント２の監視制御を行うクライアント端末７は情報ＬＡＮ６１にが接続されている。系統図作成端末８はＬＡＮ６２とルータ４３を介して広域ネットワーク５に接続されている。
【００１４】
図２にサーバ３とクライアント７の一例詳細構成図を示す。
図２において、サーバ３のシンボル格納処理部２１２はシンボル定義ファイル２０１からシンボル情報を読出しシンボルデータベース２１６に格納する。シンボル送信処理部２１７はシンボルデータベース２１６に格納されているシンボル情報をクライアント７の系統図情報取得処理部２２２に送信する。シンボル送信処理部２１７はネットワーク５を介してシンボル情報を系統図情報取得処理部２２２に送信するが、理解を容易にするため直接に信号線を記載している。
【００１５】
プラントデータ受信処理部２１３はプラント２から各プラント機器の運転状態などを示すプラントデータを受信してプラントデータベース２１４に格納する。配信処理部２１５はプラントデータベース２１４に格納されているプラントデータをクライアント７に周期的に送信する。
【００１６】
シンボル定義ファイル２０１、集約シンボル定義ファイル２０２および画面定義ファイル２０２は系統図作成端末８で作成してサーバ３に配信される。集約シンボル定義ファイル２０２にはプラント系統図をメッシュ状に分割し、各メッシュに含まれるプラント機器の代表が１つのメッシュの集約シンボルとして定義されている。
【００１７】
クライアント７の受信処理部２２４はサーバ３の配信処理部２１５からのプラントデータを受信して機器状態設定処理部２２５に加える。
【００１８】
機器状態設定処理部２２５はプラントデータと状態レベル定義ファイル２０４の機器状態レベルを比較し、各プラント機器の状態レベルを判定する。機器状態設定処理部２２５は全てプラント機器について状態レベルを判定して機器状態レベルテーブルとして作成し機器名称選別処理部２２３に与える。
【００１９】
機器名称選別処理部２２３は機器状態設定処理部２２５から入力した機器状態レベルが機器毎に設定されている基準レベル（要注意レベル）以上である機器（シンボル）を選別する。機器状態レベルの基準レベルはデフォルト値を用いたり、運転員が設定する。機器名称選別処理部２２３は基準レベル以上の機器名称（シンボル名称）を選別し、選別した機器名称を系統図情報取得処理部２２２に与える。
【００２０】
系統図情報取得処理部２２２は予めサーバ３の画面定義ファイル２０３と集約シンボル定義ファイル２０２から画面定義情報と集約シンボル情報を取込み系統図表示処理部２２７に与える。系統図情報取得処理部２２２は機器名称選別処理部２２３から基準レベル以上の機器名称を加えられると、機器名称（シンボル名称）をキーとしてシンボル情報をサーバ３のシンボルデータベース２１６に要求し、要求したシンボル情報をシンボル送信処理部２１７から入力する。系統図情報取得処理部２２２は入力したシンボル情報を系統図表示処理部２２７に加える。
【００２１】
系統図表示処理部２２７は系統図情報取得処理部２２２から入力した画面定義情報に基づき運転員にとってプラント系統図が見やすくなるようにしてディスプレイ２０９ａに表示する。具体的には、プラント系統図がディスプレイ２０９ａの一画面のサイズに収まるように縮小表示する。また、系統図表示処理部２２７は系統図情報取得処理部２２２から入力した集約シンボル情報に基づき集約シンボルをプラント系統図の画面上に表示する。キーボード２０７ａとマウス２０８ａは入力装置を構成する。
【００２２】
図３に系統図作成端末８の一例詳細構成図を示す。系統図作成端末８は本発明のような広域監視制御システムの開発時に必要とする。
【００２３】
図３において、系統図作成処理部２０５はキーボード２０７ｂ、マウス２０８ｂなどの入力装置からの入力によってディスプレイ２０９ｂに画面の背景を描き、機器シンボルを配置しグラフィカルにプラント系統図を作成する。系統図作成処理部２０５は、ユーザがディスプレイ２０９ｂにプラント系統図を描画した後にそのプラント系統図をシンボル定義ファイル２０１と画面定義ファイル２０３に出力する。
【００２４】
また、系統図作成処理部２０５はシンボル定義ファイル２０１のシンボル情報に基づき集約シンボルを作成し集約シンボル定義ファイル２０２に格納する。系統図作成処理部２０５はシンボル定義ファイル２０１から各シンボル情報を取り込み、プラント系統図をＭ＊Ｎのメッシュに分割して各メッシュの配列を各シンボル情報と対応させて集約シンボルを設定する。
【００２５】
状態レベル定義ファイル作成処理部２０６は系統図作成端末８のユーザが、キーボード２０７ｂ、マウス２０８ｂの入力装置により、各プラント機器の機器状態を示す機器状態レベルを定義し、状態レベル定義ファイル２０４として出力する。機器状態レベルは、運転、停止、軽故障、重故障、異常などで、機器毎に設定される。
【００２６】
次に動作を説明する。
この構成において、まず、系統図作成端末８によってクライアント７とサーバ３で用いられるプラント系統図等が作成され、系統図作成端末８のユーザがクライアント７やサーバ３に配布する。
【００２７】
まず、系統図作成端末８の処理を図４のフローチャートを参照して説明する。系統図作成端末８の系統図作成処理部２０５は、系統図作成端末８を使用するユーザが、キーボード２０７ｂ、マウス２０８ｂの入力装置により、ディスプレイ２０９で画面の背景画面を描き、機器シンボルを適切な位置に配置してグラフィカルにプラント系統図を描画する。
【００２８】
さて、系統図作成処理部２０５は、ユーザがディスプレイ２０９ｂを見ながら入力装置で系統図を描画した後、ステップＳ１において系統図の画面定義ファイル２０１を作成し、ステップＳ２でシンボル定義ファイル２０１を作成する。
【００２９】
画面定義ファイル２０３には、図５に示すように画面サイズ５２０、画面背景色５２１、集約シンボル定義ファイル名５２２などが格納されている。また、シンボル定義ファイル２０１には、シンボル名称（機器名称）５０３、シンボル種別（機器種別）５０４、シンボル位置座標５０５、シンボル図形情報５０６などを含むシンボル情報（機器情報）５０７が定義されている。
【００３０】
系統図作成処理部２０５はステップＳ３でシンボル定義ファイル２０１から各シンボル情報５０７を取得する。ステップＳ３からステップＳ４に移行して、プラント系統図を図８に示すようにＭ＊Ｎのメッシュ６０１に分割して各メッシュ６０１を配列として保持し、ステップＳ５において各メッシュ６０１の配列を各シンボル情報５０７と対応させる。メッシュ６０１とシンボル情報５０７の対応付けは、各シンボル６０２（５０７）のシンボル位置座標５０５に基づいて行う。メッシュ６０１とシンボル情報５０７の対応付けは１つのメッシュ領域６０１に含まれる、つまり配置されているプラント機器を定義していることになる。
【００３１】
ステップＳ６に移行してメッシュ６０１とシンボル情報５０７（６０２）の対応付けから図１０に示す集約判定テーブルを作成する。ステップＳ７では図１０に示す集約判定テーブルから各メッシュ毎に最も個数の多いシンボル種別５０４、つまり、機器種別を選別する。
【００３２】
ステップＳ８では個数の最も多いシンボル種別５０４の複数のシンボル名称５０３からランダムに一つのシンボル名称５０３を選別する。ステップＳ９に移り、このシンボル名称５０３と対応したシンボル情報５０７を選別し、ステップＳ１０において選別したシンボル情報を集約シンボル定義ファイル２０２に出力する。
【００３３】
例えば、図８におけるメッシュ１では、シンボル種別５０４として「ポンプ」が最も個数が多くなっている。そこで、シンボル種別であるポンプと対応したシンボル名称ポンプ１〜ポンプ４のうち、ランダムに一つのシンボル名称を選別する（ポンプ１とする）。そして、そのポンプ１というシンボル名称５０３と対応したシンボル情報５０７を選別し、集約シンボル定義ファイル２０２に出力する。メッシュ１の領域に配置されているポンプ２〜４、バルブ１のシンボル情報５０７は、集約シンボル定義ファイル２０２に出力されない。
【００３４】
このようにして、集約シンボル定義ファイル２０２には、最大でもＭ＊Ｎ個の集約シンボル情報だけが入力され、充分に集約した集約シンボルを作成することができる。図１０に示す集約シンボル定義ファイル２０２には、Ｍ＊Ｎ個以上の集約シンボル情報５１４が格納されることはない。
【００３５】
また、各メッシュ毎に最も個数の多いシンボル種別５０４の機器を集約シンボルとしていることから、図９に示すように集約シンボル６０３のみをプラント全体系統図に表示しても、プラント系統を理解することができる。
【００３６】
系統図作成端末８の状態レベル定義ファイル作成処理部２０６は、系統図作成端末８のユーザが、キーボード２０７ｂ、マウス２０８ｂの入力装置により、各プラント機器（機器シンボル）のプラントデータ（機器状態データ）による機器状態レベル（要注意レベル）を予め定義し、状態レベル定義ファイル２０４として出力する。
【００３７】
図１１に状態レベル定義ファイル２０４のフォーマットの一例を示す。状態レベルの定義は、例えば、シンボル名称で表しているプラント機器の中には故障が致命的な主機や、故障してもそれほど影響のない補機などがある。前者の場合、故障の状態レベル（重要度）を高くし「３」とし、後者の場合、故障の重要度を低くし「２」とするなど、プラント機器によって同じ故障でも重要度を変えて柔軟に設定する。
【００３８】
プラント機器の状態レベルは、１〜３にしているが、故障の種類、軽故障、重故障などを区別して多くのレベルにすることができる。
【００３９】
系統図作成端末８で作成したシンボル定義ファイル２０１、画面定義ファイル２０３、集約シンボル定義ファイル２０２をサーバ３に配布し、また、状態レベル定義ファイル２０４をクライアント７に配布する。
【００４０】
なお、系統図作成端末８をネットワーク５に接続してサーバ３とクライアント７に配布しているが、系統図作成端末８で作成した定義ファイルをオフラインで配布することもできる。また、サーバ３のシンボル定義ファイル２０１、画面定義ファイル２０３、集約シンボル定義ファイル２０２およびクライアント７の状態レベル定義ファイル２０４は系統図作成端末８から配布されたものであり、系統図作成端末８と同一符号を付している。
【００４１】
次に、サーバ３とクライアント７の処理について説明する。
サーバ３のシンボル格納処理部２１２はシンボル定義ファイル２０１からシンボル情報５０７を読取りシンボルデータベース２１６に格納する。シンボル送信処理部２１７はシンボルデータベース２１６に格納されているシンボル情報５０７を系統図情報取得処理部２２２に送信する。プラントデータ受信処理部２１３はプラント２から各プラント機器の運転状態などを示すプラントデータを受信し、プラントデータベース２１４に格納する。配信処理部２１５はプラントデータベース２１４に格納されているプラントデータをクライアント７に周期的に送信する。
【００４２】
クライアント７はサーバ３からプラントデータを受信すると次のような処理を実行する。
【００４３】
サーバ３からのプラントデータ１０２は受信処理部２２４で受信され機器状態設定処理部２２５に入力される。機器状態設定処理部２２５は受信処理部２２４からプラントデータを受信すると図１２に示す処理を行う。
【００４４】
機器状態設定処理部２２５はステップＳ１１でプラントデータを取得して、ステップＳ１２に移行し状態レベル定義ファイル２０４を読取る。ステップＳ１３ではプラントデータと状態レベル定義ファイル２０４の機器状態レベルを比較し、ステップＳ１４に移行して各機器の機器状態レベル（重要度レベル）を設定する。プラント２を構成する全てのプラント機器の状態レベルを設定した後にステップＳ１５において機器状態レベル設定テーブルとして作成し、ステップＳ１６で機器名称選別処理部２２３に出力する。図１３に機器状態レベル設定テーブルのフォーマットの一例を示す。
【００４５】
機器名称選別処理部２２３は図１４に示すフローチャートの処理を実行する。ステップＳ２１において機器状態設定処理部２２５から入力した機器状態レベル設定テーブルを読取り、機器（シンボル）を選別する基準値をデフォルト値（予め定めた基準値）か（ステップＳ２３）、運転員が設定した基準値にする（ステップＳ２４）。ステップＳ２５ではそれぞれのプラント機器毎に設定されている基準値以上の要注意レベルの機器名称（シンボル名称５０３）を選別し、選別された機器名称（シンボル名称５０３）を系統図情報取得処理部２２２に出力する（ステップＳ２６）。
【００４６】
系統図情報取得処理部２２２は予めサーバ３から画面定義ファイル２０３と集約シンボル定義ファイル２０２を取得し、系統図表示処理部２２７に与える。系統図情報取得処理部２２２はその後に機器名称選別処理部２２３から機器名称（シンボル名称５０３）を入力すると、シンボル名称５０３をキーとして、シンボル情報５０７をサーバ３のシンボルデータベース２１６に要求する。
【００４７】
系統図情報取得処理部２２２は、要求したシンボル情報５０７をシンボル送信処理部２１７から取得し、系統図表示処理部２２７に与える。このようにして、機器状態が基準値以上の要注意レベルにあるプラント機器（重要シンボル）情報をクライアント７が取得できる。
【００４８】
系統図表示処理部２２７は図１５に示すフローチャートの処理を実行する。
系統図表示処理部２２７はステップＳ３１において系統図情報取得処理部２２２から予め入力した画面定義ファイル２０３を読取る。次に、運転員にとってプラント系統図が見易くなるように、系統図をディスプレイ２０９ａの一画面サイズに収まるように縮小表示する（ステップＳ３５）。画面の縮小率は、縮小前の画面サイズとディスプレイ２０９ａの一画面サイズの縦、横の長さの縮尺を計算し（ステップＳ３２）、どちらか小さい方の縮尺を縮小率にする（ステップＳ３３，Ｓ３４）。
【００４９】
例えば、縮小前の画面サイズが６０００＊６０００ピクセルで、ディスプレイ２０９ａの画面サイズが１２００＊６００ピクセルである場合、縦の長さの縮尺は１２００／６０００＝１／５であり、横の長さの縮尺は６００／６０００＝１／１０となるため、小さい横の長さの縮尺１／１０を画面の縮小率とする。
【００５０】
この例であれば、縮尺前の画面サイズが６０００＊６０００ピクセルであったのが、縮小率１／１０を掛けることにより、縮尺後の画面サイズは６００＊６００ピクセルとなり、ディスプレイ２０９ａの画面サイズ１２００＊６００ピクセルに収まることになる。このように導出される縮小率の値は、のちに利用されるためメモリに記憶する。ここではそれを縮小率Ｋと称する。
【００５１】
系統図表示処理部２２７はステップＳ３６で系統図情報取得処理部２２２から入力した集約シンボル定義ファイル２０２を読取り、図９の集約シンボル６０３を系統図に表示する。ディスプレイ２０９ａの画面上の表示位置は集約シンボル定義ファイル２０２の集約シンボル位置座標５１２に基づき決定し、実際に集約シンボルを系統図の画面上に表示する際には、まず集約シンボルの表示倍率を設定する必要がある。
【００５２】
集約シンボルを通常とおり表示しようとすると、縮小表示された系統図の画面に納まらない可能性があるからである。そこで、集約シンボル６０３の表示倍率を系統図の画面の縮小率Ｋと同じに設定し、系統図の画面に納まることを保証する。次に、そのままの表示倍率では集約シンボルが見づらい可能性があるため、その倍率に対しての拡大率を設定する（ステップＳ３７）。
【００５３】
集約シンボル６０３の拡大率は、クライアント７のユーザが、キーボード２０７ａ、マウス２０８ａの入力装置で、系統図表示処理部２２７を介して見易くなるように設定する。これにより、集約シンボル６０３は縮小された画面をはみ出すことなく、かつ、ユーザが見やすい表示倍率Ｋ＊Ｓで系統図の画面上に表示可能となる（ステップＳ３８）。
【００５４】
拡大率の値も後に利用されるため、メモリに記憶する。ここではそれを拡大率Ｓ（Ｓ＞１）と称する。
【００５５】
系統図表示処理部２２７は系統図取得処理部２２２から入力した重要シンボル情報（機器状態レベルが基準値以上で要注意レベルになったプラント機器）をプラント系統図に表示する。重要シンボル情報は表示位置や表示倍率の決定は集約シンボルの場合と概ね同じであるが、表示倍率については集約シンボルよりもさらに拡大して表示する。重要シンボルは、ユーザにとってより見易くする必要があるからである。
【００５６】
そのため、ステップＳ４０において拡大率Ｋに対しての拡大率Ｔをユーザが決定する。この拡大率を拡大率Ｔ（Ｔ＞１）と称すると、シンボル定義ファイル２０１から読み取られたシンボルは表示倍率がＫ＊Ｓ＊Ｔとなり、ディスプレイ２０９ａに表示される（ステップＳ４１）。
【００５７】
このようにして、機器状態レベルが基準値以上で要注意レベルになったプラント機器の重要シンボルは、縮小されたプラント全体系統図の画面上に納まって表示されることが保証され、さらに、集約シンボルよりも拡大されたユーザにとってより見易い表示倍率で表示されることになる。
【００５８】
機器状態レベルが基準値以上で要注意レベルになったプラント機器の重要シンボル６０４は、例えば、図１６に示すように拡大表示される。拡大した重要シンボル６０４が１メッシュ６０１の領域に表示できない場合には図１６に示すように複数のメッシュ６０１シンボルに跨って表示することもできる。
【００５９】
系統図表示処理部２２７はステップＳ４２においてシンボル同士が重なって表示されると判断すると、ステップＳ４３に移行して系統図の画面を拡大し、スクロール表示してシンボル同士の重なり表示を修正する。
【００６０】
運転員は、機器状態レベルが基準値以上で要注意レベルになり重要シンボル６０４で表示されたプラント機器のメッシュ６０１を選択することによって当該メッシュの詳細画面をディスプレイ２０９ａに表示することができる。したがって、要注意レベルになったプラント機器の詳細を監視することができる。
【００６１】
このようにしてプラントの遠隔監視制御を行うのであるが、各メッシュ領域毎に１台のプラント機器のシンボルを集約表示し、１つのメッシュ領域に含まれるプラント機器状態が要注意レベルになると当該プラント機器の機器シンボルを拡大表示しているので、全体系統図によるプラント状態の把握を容易に行え、要注意レベルになったプラント機器の監視性を向上させることができる。
【００６２】
なお、上述の実施例は集約表示するプラント機器を１つのメッシュに含まれる数の多い機器にしているが、プラントの全体系統を理解し易い機器を集約表示しても良いことは勿論のことである。
【００６３】
【発明の効果】
本発明は各メッシュ領域毎に１台のプラント機器のシンボルを集約表示し、１つのメッシュ領域に含まれるプラント機器状態が要注意レベルになると当該プラント機器の機器シンボルを拡大表示しているので、全体系統図によるプラント状態の把握を容易に行え、要注意レベルになったプラント機器の監視性を向上させることができる。
【図面の簡単な説明】
【図１】本発明の一実施例示す構成図である。
【図２】図１におけるクライアントとサーバの一例詳細構成図である。
【図３】図１における系統図作成端末の一例詳細構成図である。
【図４】本発明の動作を説明するためのフローチャートである。
【図５】本発明による画面定義ファイルの一例フォーマットを示す図である。
【図６】本発明によるシンボル定義ファイルの一例フォーマットを示す図である。
【図７】本発明による集約シンボル定義ファイルの一例フォーマットを示す図である。
【図８】本発明によるプラント系統図の説明図である。
【図９】本発明によるプラント系統図の説明図である。
【図１０】本発明による集約判定テーブルの一例フォーマットを示す図である。
【図１１】本発明による状態レベル定義ファイルの一例フォーマットを示す図である。
【図１２】本発明の動作を説明するためのフローチャートである。
【図１３】本発明による重要度設定テーブルの一例フォーマットを示す図である。
【図１４】本発明の動作を説明するためのフローチャートである。
【図１５】本発明の動作を説明するためのフローチャートである。
【図１６】本発明によるプラント系統図の説明図である。
【符号の説明】
１…制御用ＬＡＮ、２…プラント、３…サーバ、４…ルータ、５…広域ネットワーク、６…情報ＬＡＮ、７…クライアント端末、８…系統図作成端末、２０１…シンボル定義ファイル、２０２…集約シンボル定義ファイル、２０３…画面定義ファイル、２０４…状態レベル定義ファイル、２０５…系統図作成処理部、２０６…状態レベル定義ファイル作成処理部、２０７…キーボード、２０８…マウス、２０９…ディスプレイ、２１２…シンボル格納処理部、２１３…プラントデータ受信処理部、２１４…プラントデータベース、２１５…配信処理部、２１６…シンボルデータベース、２１７…シンボル送信処理部、２２２…系統図情報取得処理部、２２３…機器名称選別処理部、２２４…受信処理部、２２５…機器状態設定処理部、２２７…系統図表示処理部。
【図１】
2004151997.tif 000003
【図２】
2004151997.tif 000004
【図３】
2004151997.tif 000005
【図４】
2004151997.tif 000006
【図５】
2004151997.tif 000007
【図６】
2004151997.tif 000008
【図７】
2004151997.tif 000009
【図８】
2004151997.tif 000010
【図９】
2004151997.tif 000011
【図１０】
2004151997.tif 000012
【図１１】
2004151997.tif 000013
【図１２】
2004151997.tif 000014
【図１３】
2004151997.tif 000015
【図１４】
2004151997.tif 000016
【図１５】
2004151997.tif 000017
【図１６】
2004151997.tif 000018